(57)【要約】【課題】スケジュールに競合関係が生じても対応できる情報表示システム、及び情報表示方法を提供する。【解決手段】情報表示システム１は、ネットワーク１０を介して表示装置１１…を管理する管理装置１２を備える。管理装置は、複数のユーザが申し込んだスケジュールが競合する際、スケジュールを調整するスケジュール調整部２９と、調整されたスケジュールを申し込んだユーザに対して課金するとともに、本登録を行う料金管理部３０とを有し、スケジュール調整部は、競合するスケジュールを比較し、配信を希望する日付、時間帯、及び場所が重複する場合、所定の規則にしたがって優先のスケジュールを決定する比較決定部２９ａと、決定された優先のスケジュールを仮登録する仮登録部２９ｂと、仮登録された優先のスケジュール及び優先のスケジュールに決定されるために最低限必要な情報を最新の仮登録内容として各ユーザに提示する情報提示部２９ｃとを有する。【選択図】図２
2013196125.tif 000002
【特許請求の範囲】
【請求項１】
ユーザが配信を希望するコンテンツを、本登録したスケジュールに沿って表示装置に表示する情報表示システムであって、
ネットワークを介して前記表示装置を管理する管理装置を備え、
該管理装置は、複数のユーザが申し込んだスケジュールが競合する際、該スケジュールを調整するスケジュール調整部と、調整された前記スケジュールを申し込んだユーザに対して課金するとともに、本登録を行う料金管理部とを有し、
前記スケジュール調整部は、前記競合するスケジュールを比較し、配信を希望する日付、時間帯、及び場所が重複する場合、所定の規則にしたがって優先のスケジュールを決定する比較決定部と、決定された前記優先のスケジュールを仮登録する仮登録部と、仮登録された前記優先のスケジュール及び該優先のスケジュールに決定されるために最低限必要な情報を、最新の仮登録内容として各ユーザに提示する情報提示部とを有することを特徴とする情報表示システム。
【請求項２】
請求項１に記載の情報表示システムであって、
前記所定の規則とは、スケジュールが競合する際に、最も高い金額を入力したユーザのスケジュールを前記優先のスケジュールに決定する規則であり、前記最低限必要な情報とは、前記優先のスケジュールに決定されるために最低限必要な料金の情報であることを特徴とする情報表示システム。
【請求項３】
請求項１又は２に記載の情報表示システムであって、
前記管理装置は、前記コンテンツの内容を読み取り可能なスキャナを有し、所定の画像データを印刷する画像形成装置であり、前記管理装置は、前記スキャナで読み取った前記コンテンツの画像を管理し、前記表示装置に表示させることを特徴とする情報表示システム。
【請求項４】
ユーザが配信を希望するコンテンツを、本登録したスケジュールに沿って表示装置に表示し、複数のユーザが申し込んだスケジュールが競合する際、該スケジュールを調整する情報表示方法であって、
前記競合するスケジュールを比較し、配信を希望する日付、時間帯、及び場所が重複する場合、所定の規則にしたがって優先のスケジュールを決定するステップと、
決定された前記優先のスケジュールを仮登録するステップと、
仮登録された前記優先のスケジュール及び該優先のスケジュールに決定されるために最低限必要な情報を、最新の仮登録内容として各ユーザに提示するステップと、
他のユーザとの交渉が成立した場合、前記優先のスケジュールを申し込んだユーザに対して課金するステップと、
課金された前記優先のスケジュールを本登録するステップと
を含むことを特徴とする情報表示方法。
【発明の詳細な説明】
【技術分野】
【０００１】
本発明は、情報表示システム、及び情報表示方法に関し、詳細には、ユーザが配信を希望する情報を、本登録したスケジュールに沿って表示装置に表示する情報表示システム、及び情報表示方法に関する。
【背景技術】
【０００２】
駅や競技場などの公共の場所に表示装置を設置し、広告などのコンテンツを通行人等の不特定多数の者に提供するサービスがある。
この表示装置は、インフォメーションディスプレイとも言い、ネットワークを介して管理装置に接続されている。管理装置には、広告主から提供された動画や静止画などのコンテンツが登録されており、所定のスケジュールに沿ってコンテンツを表示装置に表示する。
【０００３】
ここで、例えば、特許文献１〜３には、このインフォメーションディスプレイを利用した技術が開示されている。特許文献１では、ユーザに課金することにより、ユーザ端末から送信したメッセージを、競技場などに設置した表示装置にリアルタイムで表示できる。特許文献２では、表示装置に表示された広告に対し、ユーザに参照された実績に応じて広告主に課金する。特許文献３では、広告の配信順序を組み立てて駅などに設置した表示装置に表示している。
【先行技術文献】
【特許文献】
【０００４】
【特許文献１】特開２００１−３２５３５０号公報
【特許文献２】特開２００２−１５２０７号公報
【特許文献３】特開２００３−１５７０３６号公報
【発明の概要】
【発明が解決しようとする課題】
【０００５】
しかしながら、特許文献１，２では、表示の料金体系の変動について言及されておらず、特許文献３では課金処理が伴われていない。そして、いずれの特許文献にも、表示装置の利用希望者（ユーザ）の間にはスケジュール交渉の場が設けられていないため、配信のスケジュールが一旦設定されると、その後、スケジュールに競合関係が生じても変更できないという問題がある。
【０００６】
本発明は、上述の如き実情に鑑みてなされたもので、スケジュールに競合関係が生じても対応できる情報表示システム、及び情報表示方法を提供することを目的とする。
【課題を解決するための手段】
【０００７】
上記課題を解決するために、本発明の第１の技術手段は、ユーザが配信を希望するコンテンツを、本登録したスケジュールに沿って表示装置に表示する情報表示システムであって、ネットワークを介して前記表示装置を管理する管理装置を備え、該管理装置は、複数のユーザが申し込んだスケジュールが競合する際、該スケジュールを調整するスケジュール調整部と、調整された前記スケジュールを申し込んだユーザに対して課金するとともに、本登録を行う料金管理部とを有し、前記スケジュール調整部は、前記競合するスケジュールを比較し、配信を希望する日付、時間帯、及び場所が重複する場合、所定の規則にしたがって優先のスケジュールを決定する比較決定部と、決定された前記優先のスケジュールを仮登録する仮登録部と、仮登録された前記優先のスケジュール及び該優先のスケジュールに決定されるために最低限必要な情報を、最新の仮登録内容として各ユーザに提示する情報提示部とを有することを特徴とする情報表示システムである。
【０００８】
第２の技術手段は、第１の技術手段において、前記所定の規則とは、スケジュールが競合する際に、最も高い金額を入力したユーザのスケジュールを前記優先のスケジュールに決定する規則であり、前記最低限必要な情報とは、前記優先のスケジュールに決定されるために最低限必要な料金の情報であることを特徴とするものである。
【０００９】
第３の技術手段は、第１又は２の技術手段において、前記管理装置は、前記コンテンツの内容を読み取り可能なスキャナを有し、所定の画像データを印刷する画像形成装置であり、前記管理装置は、前記スキャナで読み取った前記コンテンツの画像を管理し、前記表示装置に表示させることを特徴とするものである。
【００１０】
第４の技術手段は、ユーザが配信を希望するコンテンツを、本登録したスケジュールに沿って表示装置に表示し、複数のユーザが申し込んだスケジュールが競合する際、該スケジュールを調整する情報表示方法であって、前記競合するスケジュールを比較し、配信を希望する日付、時間帯、及び場所が重複する場合、所定の規則にしたがって優先のスケジュールを決定するステップと、決定された前記優先のスケジュールを仮登録するステップと、仮登録された前記優先のスケジュール及び該優先のスケジュールに決定されるために最低限必要な情報を、最新の仮登録内容として各ユーザに提示するステップと、他のユーザとの交渉が成立した場合、前記優先のスケジュールを申し込んだユーザに対して課金するステップと、課金された前記優先のスケジュールを本登録するステップとを含むことを特徴とするものである。
【発明の効果】
【００１１】
本発明によれば、管理装置は、各ユーザのスケジュールを比較し、優先のスケジュール及びこの優先のスケジュールに決定されるために最低限必要な情報を最新の仮登録内容として各ユーザに提示している。そして、優先のスケジュールを申し込んだユーザに課金し、そのスケジュールを本登録し、その配信希望のコンテンツを表示装置に表示する。このように、ユーザ間に交渉の場が提供されており、スケジュールに競合関係が生じても対応することができる。
【図面の簡単な説明】
【００１２】
【図１】本発明による情報表示システムの構成図である。
【図２】本発明による管理装置の構成図である。
【図３】本発明のスケジュール調整を説明するフローチャートである。
【図４】本発明のスケジュール調整の例を説明する図である。
【図５】本発明のスケジュール調整の例を説明する図である。
【発明を実施するための形態】
【００１３】
以下、図面を参照しながら本発明の情報表示システムについて説明する。
図１は、本発明による情報表示システムの構成図であり、情報表示システム１は、ネットワーク１０を介して接続された複数台の表示装置１１，１１ａ，・・・，１１ｎと、管理装置１２とを備える。表示装置１１，１１ａ，・・・，１１ｎは、インフォメーションディスプレイ（以下、ＩＤＰと称する）と言い、例えば、駅等の公共の場所にそれぞれ設置され、大型の液晶画面を有して静止画や動画等のコンテンツを表示することができる。なお、図１の３５は、例えば、ＰＣなどのユーザ端末である。
【００１４】
図２は、本発明による管理装置の構成図である。管理装置１２は、例えば、店舗に設置された多機能型画像形成装置（Multi Function Peripheral、以下、ＭＦＰと称する）であり、制御部２２、ネットワークＩ／Ｆ２３、表示／操作部２４、スキャナ２５、印刷部２６、ＨＤＤ２７、ユーザ管理部２８、スケジュール調整部２９、料金管理部３０、コンテンツ管理部３１を有し、これらはバス２１を介して接続される。制御部２２は、ネットワークＩ／Ｆ２３を介してＩＤＰ１１，１１ａ，・・・，１１ｎやユーザ端末３５と通信可能に構成される。
【００１５】
表示／操作部２４は、例えば、液晶のディスプレイ、透明抵抗膜方式のタッチパネルや、接触接点を用いたハードキーからなる操作キーで構成され、このタッチパネルは、ＭＦＰ１２を操作するためのＧＵＩ（グラフィカルユーザインタフェース）を上記ディスプレイに表示させる。スキャナ２５は、所定位置にセットされた原稿を光学的に読み取ることができ、読み取られた原稿のデータは、表示装置１１，１１ａ，・・・，１１ｎや印刷部２６に出力可能である。
【００１６】
印刷部２６は、給紙、画像形成、転写、定着、排紙等を行い、所定の画像データを用紙に出力する。なお、印刷部２６が両面印刷機能を備えている場合には、用紙の片面の他、もう一方の面にも画像データを出力できる。また、印刷部２６は、ユーザがステープルやファイリング用の穴明け等の処理を希望した場合には、後処理装置（図示省略）と連携して動作することができる。
また、ユーザ管理部２８は、後述するＩＤＰ１１，１１ａ，・・・，１１ｎへの配信を希望するユーザの情報を管理する。一方、コンテンツ管理部３１は、ユーザが配信を希望するコンテンツ、例えば、ユーザ自身制作の絵や写真を受け付け、ＨＤＤ２７に格納する。
【００１７】
スケジュール調整部２９は、比較決定部２９ａ、仮登録部２９ｂ、情報提示部２９ｃを有し、複数のユーザが申し込んだスケジュールが競合する際、スケジュールを調整可能に構成されている。
比較決定部２９ａは、例えば、配信を希望する日付、時間帯、及び場所が重複する場合、所定の規則にしたがって優先のスケジュールを決定できる。仮登録部２９ｂは、この決定された優先のスケジュールを仮登録する。この仮登録は、本登録される前の未確定状態である旨をユーザに了知させるものである。なお、所定の規則とは、例えば、最も高い金額を入力したユーザのスケジュールを優先のスケジュールに決定するというルールや、金額が同じであれば最も早く申し込みをしたユーザのスケジュールを優先のスケジュールに決定するというルール等である。
【００１８】
情報提示部２９ｃは、各ユーザに対し、スケジュールの交渉の場を提供する。表示／操作部２４や配信を申し込んだユーザ端末３５に、最新の仮登録内容、具体的には、仮登録された優先のスケジュール及びこの優先のスケジュールに決定されるために最低限必要な、例えば、料金の情報を各ユーザに提示することができ、交渉の条件をユーザに明らかにしている。なお、最低限必要な情報は、会員ポイント等であってもよい。
料金管理部３０は、調整されたスケジュールを申し込んだユーザに対して課金するとともに、本登録を行い、ユーザへの精算金額を管理する。
【００１９】
図３は、本発明のスケジュール調整を説明するフローチャートである。
コンテンツの配信を希望するユーザは、例えば、ＭＦＰ１２やユーザ端末３５を操作して配信を申し込む（ステップＳ１０１）。詳しくは、表示／操作部２４やユーザ端末３５の画面に表示された申し込み欄にて初期情報を入力すると、ユーザ管理部２８で管理される。また、ユーザが持ち込んだ絵や写真をスキャナ２５で読み取ると、ユーザ管理部２８はＨＤＤ２７に格納する。なお、配信の申し込みは初期情報の入力のみとし、絵や写真の読み取りは、本登録の前までであれば、例えば、仮登録の際に行うことも可能である。配信の申し込みは、ＭＦＰ１２やユーザ端末３５の他、ＫＩＯＳＫ端末などからも可能である。
【００２０】
初期情報とは、例えば、配信を希望する日付、その期間、時間帯、場所、配信内容などがあり、日付、時間帯、場所などは複数候補（例えば、第１〜第３候補）を入力可能である。
次に、スケジュール調整部２９がユーザ管理部２８から初期情報を受け取り、比較決定部２９ａが管理テーブル（図示省略）にて予約状況を確認する。そして、仮登録部２９ｂがその内容を仮登録した後（ステップＳ１０２）、情報提示部２９ｃが上記ユーザの初期情報を反映させた現在の予約状況を表示／操作部２４の画面に表示し、また、情報提示部２９ｃから現在の予約状況を受け取った制御部２２がユーザ端末３５に送信する（ステップＳ１０３）。これにより、申し込んだユーザに状況を説明できる。
【００２１】
現在の予約状況は、表示／操作部２４やユーザ端末３５の画面において、例えば、先約なしを青色等の背景を用いて表示し、配信するために必要な料金も併せて申し込んだユーザに提示できる。
一方、先約があってユーザの希望内容に直ちに沿えない場合には、表示／操作部２４やユーザ端末３５の画面に例えば、赤色の背景を用いて表示される。同時に、情報提示部２９ｃは、表示／操作部２４やユーザ端末３５を介して、最新の予約状況及び料金をユーザに提示している。この料金は、日付、時間帯や場所の組み合わせに応じて大きく変動し、例えば、人通りが多く、不特定多数者に注目されやすい日付、時間帯、場所であるに連れて高い金額が設定されやすいものである。
【００２２】
図４，５は、本発明のスケジュール調整の例を説明する図である。仮に、ユーザａが、所定日の１９：００から２１：００までの間、表示装置１１へのコンテンツの配信を希望し、ユーザ端末３５から申し込む。次いで、ユーザａが、スケジュール調整部２９からの設定料金、例えば、５０００円に承諾した場合、仮登録部２９ｂは、このユーザａが申し込んだスケジュールを仮登録する（図３のステップＳ１０２）。これにより、図５（Ａ）に示すように、１９：００から２１：００まで５０００円でユーザａに予約された旨が、情報提示部２９ｃによって表示／操作部２４の画面４０やユーザ端末３５に提示される（図３のステップＳ１０３）。
【００２３】
その後、他のユーザの申し込み内容と重ならず、他のユーザとの交渉が無い場合（図３のステップＳ１０４のＹＥＳ）、スケジュール調整部２９は、例えば、配信希望日の前日に到達したか否かを判別する（ステップＳ１０５）。未だ配信希望日の前日に到達していない場合（ステップＳ１０５のＮＯ）、ステップＳ１０４に戻り、他のユーザとの交渉があるか否かを再び判別する。
ここで、仮登録されたユーザのスケジュールと、他のユーザが自身希望のコンテンツを配信するために申し込んだ他のユーザのスケジュールとが、日付、時間帯、及び場所で重複した場合には（ステップＳ１０４のＮＯ）、スケジュールの交渉の場をユーザ間に提供するため、ステップＳ１０１に戻る。
【００２４】
具体的には、仮に、ユーザａの予約内容を表示／操作部２４で見たユーザｂが、図４に示すように、ユーザａの希望日と同日の２０：００から２１：３０までの間、同じ表示装置１１へのコンテンツの配信を表示／操作部２４から申し込み、例えば、６０００円を入力した場合、比較決定部２９ａは、既に仮登録されたユーザのスケジュールと他のユーザが申し込んだスケジュールとを比較する。そして、最も高い金額を入力したユーザのスケジュールを優先のスケジュールに決定するというルールにしたがい、２０：００から２１：３０まではユーザｂのスケジュールを優先のスケジュールに決定する。
【００２５】
これにより、仮登録部２９ｂがユーザａ，ｂの各スケジュールを仮登録し（図３のステップＳ１０２）、また、情報提示部２９ｃは、図５（Ｂ）に示すように、１９：００から２０：００まで５０００円でユーザａに予約された旨、並びに、２０：００から２１：３０まで６０００円でユーザｂに予約された旨を、最新の仮登録内容として表示／操作部２４の画面４０やユーザ端末３５に提示する（図３のステップＳ１０３）。
【００２６】
その後、仮に、ユーザｂの予約内容をユーザ端末３５で見たユーザａが、同日の１９：００から２０：００までの間、同じ表示装置１１へのコンテンツの配信を申し込み、例えば、６０００円を入力した場合、比較決定部２９ａは、金額が同じであれば最も早く申し込みをしたユーザのスケジュールを優先のスケジュールに決定するというルールにしたがい、１９：００から２１：００までユーザａのスケジュールを優先のスケジュールに決定する。仮登録部２９ｂが仮登録した後、情報提示部２９ｃは、図５（Ｃ）に示すように、１９：００から２１：００まで６０００円でユーザａに予約された旨、並びに、２１：００から２１：３０まで６０００円でユーザｂに予約された旨を、最新の仮登録内容として表示／操作部２４の画面４０やユーザ端末３５に提示する。
【００２７】
ところで、その後、新たなユーザｃが、同日の１９：００から２０：００までの間、同じ表示装置１１に対して例えば、６５００円を表示／操作部２４から入力した場合を想定する。この場合には、最も高い金額を入力したユーザのスケジュールを優先することから、１９：００から２１：００までユーザｃのスケジュールを優先のスケジュールに決定する。この内容が仮登録されるため、図５（Ｄ）に示すように、１９：００から２１：００まで６５００円でユーザｃに予約された旨、並びに、２１：００から２１：３０まで６０００円でユーザｂに予約された旨が、表示／操作部２４の画面４０やユーザａのユーザ端末３５に提示される。
【００２８】
その後、金額の比較等による申し込みが繰り返され、例えば、他のユーザとの交渉中であっても前回の金額が維持されたままである、あるいは、一方のユーザが重複しないスケジュールに変更したなど、スケジュール調整部２９が、他のユーザとの交渉が無いと擬制でき（図３のステップＳ１０４のＹＥＳ）、配信希望日の前日に到達した場合には（ステップＳ１０５のＹＥＳ）、その時点における優先のスケジュールを料金管理部３０に本登録させる。
【００２９】
料金管理部３０は、他のユーザとの交渉が成立した旨を判定し、優先のスケジュールを申し込んだユーザに課金し、この課金の確認後に、最新の仮登録内容のスケジュールを本登録する（図３のステップＳ１０６）。ユーザは、例えば、ＭＦＰ２１に設置されたコインベンダ、若しくは、ＩＣカード、クレジットカードでＩＤＰ１１，１１ａ，・・・，１１ｎの管理者に支払う。
続いて、コンテンツ管理部３１が該当のコンテンツをＨＤＤ２７から呼び出し、制御部２２が、ネットワークＩ／Ｆ２３を介してユーザ希望の１台のあるいは複数台のＩＤＰ１１，１１ａ，・・・，１１ｎに向けて本登録されたコンテンツを配信し、本登録のスケジュールに沿って表示する（ステップＳ１０７）。
【００３０】
このように、ＭＦＰ２１は、各ユーザのスケジュールを比較し、優先のスケジュール及びこの優先のスケジュールに決定されるために最低限必要な料金の情報を最新の仮登録内容として各ユーザに提示している。そして、優先のスケジュールを申し込んだユーザに課金して本登録し、その配信を希望したコンテンツをＩＤＰ１１，１１ａ，・・・，１１ｎに表示する。ユーザ間に交渉の場を提供すれば、スケジュールに競合関係が生じても対応することができる。また、スケジュールの変更が可能な仕組みをユーザに提示しており、ＩＤＰの利用促進を図ることができる。
【符号の説明】
【００３１】
１…情報表示システム、１０…ネットワーク、１１，１１ａ〜１１ｎ…ＩＤＰ、１２…ＭＦＰ、２１…バス、２２…制御部、２３…ネットワークＩ／Ｆ、２４…表示／操作部、２５…スキャナ、２６…印刷部、２７…ＨＤＤ、２８…ユーザ管理部、２９…スケジュール調整部、２９ａ…比較決定部、２９ｂ…仮登録部、２９ｃ…情報提示部、３０…料金管理部、３１…コンテンツ管理部、３５…ユーザ端末、４０…画面。
【図１】
2013196125.tif 000003
【図２】
2013196125.tif 000004
【図３】
2013196125.tif 000005
【図４】
2013196125.tif 000006
【図５】
2013196125.tif 000007